(57)【特許請求の範囲】
【請求項１】
電子機器であって、
マイクと、
スピーカと、
前記マイク用の集音孔と、
前記スピーカ用の発音孔と、
前記マイクに入力される音の音量を検出するように構成された検出部と、
前記検出された音量に基づいて、前記スピーカ用の発音孔および前記マイク用の集音孔の少なくとも一方に詰まりがあるか否かを判定するように構成された判定部と、
前記判定の結果を通知するように構成された通知部と、
テスト音を生成して、前記テスト音を前記スピーカから出力させるように構成されたテスト音生成部とを備え、
前記検出部は、前記テスト音が出力されている期間に前記マイクに入力される音の音量を検出するように構成され、
前記電子機器は、複数の前記マイクと、複数の前記スピーカと、
前記複数のマイクから１つのマイクと、前記複数のスピーカから１つのスピーカをユーザが選択可能に構成された入力部とをさらに備え、
前記テスト音生成部は、前記選択されたスピーカから前記テスト音を出力させ、前記検出部は、前記選択されたマイクに入力される音の音量を検出し、
前記判定部は、前記検出された音量に基づいて、前記選択されたスピーカの発音孔および前記選択されたマイクの集音孔の少なくとも一方に詰まりがあるか否かを判定するように構成される、電子機器。
【請求項２】
電子機器であって、
マイクと、
スピーカと、
前記マイク用の集音孔と、
前記スピーカ用の発音孔と、
前記マイクに入力される音の音量を検出するように構成された検出部と、
前記検出された音量に基づいて、前記スピーカ用の発音孔および前記マイク用の集音孔の少なくとも一方に詰まりがあるか否かを判定するように構成された判定部と、
前記判定の結果を通知するように構成された通知部と、
テスト音を生成して、前記テスト音を前記スピーカから出力させるように構成されたテスト音生成部とを備え、
前記検出部は、前記テスト音が出力されている期間に前記マイクに入力される音の音量を検出するように構成され、
前記電子機器は、前記マイクとして第１のマイクと第２のマイクとを備え、
前記検出部は、前記テスト音が出力されている期間に前記第１のマイクに入力される音の音量を第１の音量として検出し、前記第２のマイクに入力される音の音量を第２の音量として検出し、
前記判定部は、前記第１の音量が所定の閾値以上であり、かつ前記第２の音量が前記所定の閾値未満の場合に、前記第２のマイク用の集音孔に詰まりがあると判定し、
前記第１の音量が前記所定の閾値未満であり、かつ前記第２の音量が前記所定の閾値以上の場合に、前記第１のマイク用の集音孔に詰まりがあると判定し、
前記第１の音量が前記所定の閾値未満であり、かつ前記第２の音量が前記所定の閾値未満の場合に、前記第１のマイク用の集音孔および前記第２のマイク用の集音孔の両方に詰まりがある第１のパターン、および前記スピーカ用の発音孔に詰まりがある第２のパターンのうちの少なくとも一方であると判定するように構成される、電子機器。
【請求項３】
電子機器であって、
マイクと、
スピーカと、
前記マイク用の集音孔と、
前記スピーカ用の発音孔と、
前記マイクに入力される音の音量を検出するように構成された検出部と、
前記検出された音量に基づいて、前記スピーカ用の発音孔および前記マイク用の集音孔の少なくとも一方に詰まりがあるか否かを判定するように構成された判定部と、
前記判定の結果を通知するように構成された通知部と、
テスト音を生成して、前記テスト音を前記スピーカから出力させるように構成されたテスト音生成部とを備え、
前記検出部は、前記テスト音が出力されている期間に前記マイクに入力される音の音量を検出するように構成され、
前記電子機器は、前記スピーカとして第１のスピーカと第２のスピーカとを備え、
前記検出部は、前記第１のスピーカからテスト音が出力されている期間に前記マイクに入力される音の音量を第１の音量として検出し、前記第２のスピーカから前記テスト音が出力されている期間に前記マイクに入力される音の音量を第２の音量として検出し、
前記判定部は、前記第１の音量が所定の閾値以上であり、かつ前記第２の音量が前記所定の閾値未満の場合に、前記第２のスピーカ用の発音孔に詰まりがあると判定し、
前記第１の音量が前記所定の閾値未満であり、かつ前記第２の音量が前記所定の閾値以上の場合に、前記第１のスピーカ用の発音孔に詰まりがあると判定し、
前記第１の音量が前記所定の閾値未満であり、かつ前記第２の音量が前記所定の閾値未満の場合に、前記第１のスピーカ用の発音孔および前記第２のスピーカ用の発音孔の両方に詰まりがある第１のパターン、および前記マイク用の集音孔に詰まりがある第２のパターンのうちの少なくとも一方であると判定するように構成される、電子機器。
【請求項４】
前記判定部は、前記検出された音量と所定の閾値との比較に基づいて、前記詰りがあるか否かを判定するように構成される、請求項１乃至３のいずれかに記載の電子機器。
【請求項５】
前記電子機器は、
通話のために通信を行なうように構成された通信部を備え、
前記検出部は、通話中に前記マイクから入力される音の音量を検出するように構成され、
前記判定部は、前記検出された音量に基づいて、前記マイクの集音孔に詰まりがあるか否かを判定するように構成される、請求項１乃至３のいずれかに記載の電子機器。
【請求項６】
前記判定部は、前記検出された音量と所定の閾値との比較に基づいて、前記詰りがあるか否かを判定するように構成される、請求項５記載の電子機器。
【請求項７】
前記判定部は、前記検出された音量と過去に前記検出部に検出された音量との比較に基づいて、前記詰りがあるか否かを判定するように構成される、請求項５記載の電子機器。
【請求項８】
前記検出部は、ハンズフリー通話中に、通話相手側からの音声を受信していない期間において、前記マイクから入力される音の音量を検出するように構成される、請求項５記載の電子機器。
【請求項９】
前記通知部は、さらに前記詰りを除去する方法を通知するように構成される、請求項１乃至３のいずれかに記載の電子機器。
【請求項１０】
電子機器であって、
スピーカと、
前記スピーカから出力された音を入力するように構成されたマイクと、
前記マイクに入力される音の周波数特性を検出するように構成された検出部と、
前記検出された周波数特性に基づいて、前記スピーカの表面に付着物が存在するか否かを判定するように構成された判定部と、
前記判定の結果を通知するように構成された通知部と、
テスト音を生成して、前記テスト音を前記スピーカから出力させるように構成されたテスト音生成部とを備え、
前記検出部は、前記テスト音が出力されている期間に前記マイクに入力される音の音量を検出するように構成され、
前記電子機器は、複数の前記マイクと、複数の前記スピーカと、
前記複数のマイクから１つのマイクと、前記複数のスピーカから１つのスピーカをユーザが選択可能に構成された入力部とをさらに備え、
前記テスト音生成部は、前記選択されたスピーカから前記テスト音を出力させ、前記検出部は、前記選択されたマイクに入力される音の音量を検出し、
前記判定部は、前記検出された音量に基づいて、前記選択されたスピーカの発音孔および前記選択されたマイクの集音孔の少なくとも一方に詰まりがあるか否かを判定するように構成される、電子機器。
【請求項１１】
電子機器であって、
スピーカと、
前記スピーカから出力された音を入力するように構成されたマイクと、
前記マイクに入力される音の周波数特性を検出するように構成された検出部と、
前記検出された周波数特性に基づいて、前記スピーカの表面に付着物が存在するか否かを判定するように構成された判定部と、
前記判定の結果を通知するように構成された通知部と、
テスト音を生成して、前記テスト音を前記スピーカから出力させるように構成されたテスト音生成部とを備え、
前記検出部は、前記テスト音が出力されている期間に前記マイクに入力される音の音量を検出するように構成され、
前記電子機器は、前記マイクとして第１のマイクと第２のマイクとを備え、
前記検出部は、前記テスト音が出力されている期間に前記第１のマイクに入力される音の音量を第１の音量として検出し、前記第２のマイクに入力される音の音量を第２の音量として検出し、
前記判定部は、前記第１の音量が所定の閾値以上であり、かつ前記第２の音量が前記所定の閾値未満の場合に、前記第２のマイク用の集音孔に詰まりがあると判定し、
前記第１の音量が前記所定の閾値未満であり、かつ前記第２の音量が前記所定の閾値以上の場合に、前記第１のマイク用の集音孔に詰まりがあると判定し、
前記第１の音量が前記所定の閾値未満であり、かつ前記第２の音量が前記所定の閾値未満の場合に、前記第１のマイク用の集音孔および前記第２のマイク用の集音孔の両方に詰まりがある第１のパターン、および前記スピーカ用の発音孔に詰まりがある第２のパターンのうちの少なくとも一方であると判定するように構成される、電子機器。
【請求項１２】
電子機器であって、
スピーカと、
前記スピーカから出力された音を入力するように構成されたマイクと、
前記マイクに入力される音の周波数特性を検出するように構成された検出部と、
前記検出された周波数特性に基づいて、前記スピーカの表面に付着物が存在するか否かを判定するように構成された判定部と、
前記判定の結果を通知するように構成された通知部と、
テスト音を生成して、前記テスト音を前記スピーカから出力させるように構成されたテスト音生成部とを備え、
前記検出部は、前記テスト音が出力されている期間に前記マイクに入力される音の音量を検出するように構成され、
前記電子機器は、前記スピーカとして第１のスピーカと第２のスピーカとを備え、
前記検出部は、前記第１のスピーカからテスト音が出力されている期間に前記マイクに入力される音の音量を第１の音量として検出し、前記第２のスピーカから前記テスト音が出力されている期間に前記マイクに入力される音の音量を第２の音量として検出し、
前記判定部は、前記第１の音量が所定の閾値以上であり、かつ前記第２の音量が前記所定の閾値未満の場合に、前記第２のスピーカ用の発音孔に詰まりがあると判定し、
前記第１の音量が前記所定の閾値未満であり、かつ前記第２の音量が前記所定の閾値以上の場合に、前記第１のスピーカ用の発音孔に詰まりがあると判定し、
前記第１の音量が前記所定の閾値未満であり、かつ前記第２の音量が前記所定の閾値未満の場合に、前記第１のスピーカ用の発音孔および前記第２のスピーカ用の発音孔の両方に詰まりがある第１のパターン、および前記マイク用の集音孔に詰まりがある第２のパターンのうちの少なくとも一方であると判定するように構成される、電子機器。
【請求項１３】
複数の周波数における音の基準音量を記憶するように構成される記憶部と、
前記複数の周波数の各々のみを周波数成分とするテスト音を生成して、前記スピーカから出力させるテスト音生成部とを備え、
前記検出部は、前記各周波数のみを周波数成分とするテスト音が出力されている期間に前記マイクに入力される各周波数における音の音量を検出するように構成され、
前記判定部は、前記検出された複数の周波数における音量と、前記記憶された複数の周波数における基準音量とに基づいて、前記付着物が存在するか否かを判定するように構成される、請求項１０乃至１２のいずれかに記載の電子機器。
【請求項１４】
前記通知部は、さらに前記付着物を除去する方法を通知するように構成される、請求項１０乃至１２のいずれかに記載の電子機器。
【発明の詳細な説明】
【技術分野】
【０００１】
本開示は、電子機器に関する。
【背景技術】
【０００２】
従来から汚れを除去するために洗浄機能を備えた電子機器が知られている。たとえば、特許文献１に記載の電子機器は、防水機能を有する筺体と、筺体内部に設けられている機能デバイスと、超音波発生デバイスと、筺体の枠の超音波発生デバイスと隣接する位置に設けられている超音波放出口とを有する。
【先行技術文献】
【特許文献】
【０００３】
【特許文献１】２０１０−１１９９６８号公報
【発明の概要】
【発明が解決しようとする課題】
【０００４】
しかしながら、電子機器を洗浄するために、まず汚れを発見することが必要である。
電子機器のマイク用の集音孔、またはスピーカ用の発音孔に付着物による詰まりが生じていても、ユーザは、通常、そのような詰まりに気づかない。あるいは、発音孔よりも内側のスピーカの表面に付着物が存在しても、ユーザは、そのような付着物に気が付かない。その結果、ユーザは、マイク用の集音孔、スピーカ用の発音孔、またはスピーカ表面の付着物を除去せずに機能が損なわれた状態で、電子機器を使用し続けることになる。
【０００５】
それゆえに、本開示の目的は、マイク、またはスピーカの機能を損ねる物質の存在を検出することができる電子機器を提供することである。
【課題を解決するための手段】
【０００６】
一実施形態の電子機器は、マイクと、スピーカと、マイク用の集音孔と、スピーカ用の発音孔と、マイクに入力される音の音量を検出するように構成された検出部と、検出された音量に基づいて、スピーカ用の発音孔およびマイク用の集音孔の少なくとも一方に詰まりがあるか否かを判定するように構成された判定部と、判定の結果を通知するように構成された通知部とを備える。
【発明の効果】
【０００７】
一実施形態の電子機器によれば、マイク、またはスピーカの機能を損ねる物質の存在を検出することができる。
【図面の簡単な説明】
【０００８】
【図１】第１の実施形態の携帯端末の構成を表わす図である。
【図２】携帯端末の正面図である。
【図３】携帯端末の背面図である。
【図４】リアスピーカと、リアスピーカ用の発音孔を表わす図である。
【図５】フロントスピーカと、フロントスピーカ用の発音孔を表わす図である。
【図６】上部マイクと、上部マイク用の集音孔を表わす図である。
【図７】下部マイクと、下部マイク用の集音孔を表わす図である。
【図８】リアスピーカ用の発音孔が詰まった状態を表わす図である。
【図９】上部マイク用の集音孔が詰まった状態を表わす図である。
【図１０】第１の実施形態の携帯端末の動作手順を表わすフローチャートである。
【図１１】ユーザが詰まりチェックを指示するためのアイコンを表わす図である。
【図１２】詰まりチェック結果の例を表わす図である。
【図１３】詰まりチェック結果の例を表わす図である。
【図１４】第２の実施形態の携帯端末の動作手順を表わすフローチャートである。
【図１５】ユーザが、詰まりチェックする箇所の組み合わせを選択するための画面を表わす図である。
【図１６】第３の実施形態の携帯端末の動作手順を表わすフローチャートである。
【図１７】第４の実施形態の携帯端末の動作手順を表わすフローチャートである。
【図１８】第５の実施形態の携帯端末の動作手順を表わすフローチャートである。
【図１９】第６の実施形態の携帯端末の動作手順を表わすフローチャートである。
【図２０】第７の実施形態の携帯端末の動作手順を表わすフローチャートである。
【図２１】第８の実施形態の携帯端末の動作手順を表わすフローチャートである。
【図２２】第９の実施形態の携帯端末の動作手順を表わすフローチャートである。
【図２３】リアスピーカに付着物が存在する状態を表わす図である。
【図２４】リアスピーカから出力される音の周波数特性の一例を表わす図である。
【図２５】第１０の実施形態の携帯端末の構成を表わす図である。
【図２６】第１０の実施形態の携帯端末の動作手順を表わすフローチャートである。
【図２７】ユーザが付着チェックを指示するためのアイコンを表わす図である。
【図２８】付着チェック結果の例を表わす図である。
【図２９】付着チェック結果の例を表わす図である。
【図３０】リアスピーカから出力される音の周波数特性の別の例を表わす図である。
【図３１】リアスピーカ用の発音孔にフィルタを設けた構成を表わす図である。
【図３２】圧電素子型のスピーカの振動を利用してリアスピーカの洗浄方法を説明するための図である。
【発明を実施するための形態】
【０００９】
以下、実施の形態について図面を用いて説明する。
［第１の実施形態］
図１は、第１の実施形態の携帯端末１の構成を表わす図である。
【００１０】
図１に示すように、この携帯端末１は、タッチパネル５と、ディスプレイ６と、フロントスピーカ１５４と、リアスピーカ５４と、上部マイク６４と、下部マイク１６４と、アンテナ１３と、無線通信部１４と、テスト音生成部２１と、音量検出部２２と、詰まり判定部２３と、通知部２４とを備える。
【００１１】
無線通信部１４は、アンテナ１３を通じて、無線基地局と通信を行なうことができる。無線通信部１４は、Ａ／Ｄコンバータ、Ｄ／Ａコンバータ、変調部、復調部、周波数コンバータ、および増幅部などを含むことができる。
【００１２】
ディスプレイ６は、画面を表示することができる。ディスプレイ６は、たとえば、液晶ディスプレイ、有機ＥＬ（Electro-Luminescence）ディスプレイなどである。
【００１３】
タッチパネル５は、ユーザからの入力を受け付ける入力受付部として機能することができる。タッチパネル５は、静電容量方式に従って、物体（ユーザの指またはペンなど）の接触または近接を検出するが、タッチパネル５はこれに限定されず、例えば、赤外線方式、または電磁誘導方式などの方式に従って、ユーザの入力を検出してもよい。
【００１４】
フロントスピーカ１５４およびリアスピーカ５４は、たとえば、電磁式スピーカなどで構成される。フロントスピーカ１５４およびリアスピーカ５４は、携帯端末１の通信相手の音声、アプリケーションで生成した音声、または、後述のテスト音などを出力することができる。
【００１５】
上部マイク６４および下部マイク１６４には、携帯端末１のユーザの音声および携帯端末１の周辺のノイズ音などが入力される。
【００１６】
テスト音生成部２１は、テスト音を生成することができる。
音量検出部２２は、上部マイク６４または下部マイク１６４に入力される音の音量を検出することができる。音量とは、例えば、上部マイク６４および下部マイク１６４で生成される音信号波形の振幅の一定時間の平均値などを表わし、デシベルなどの単位で定量化されるものである。
【００１７】
詰まり判定部２３は、検出された音量に基づいて、リアスピーカ５４用の発音孔および上部マイク６４用の集音孔の少なくとも一方に付着物による詰まりがあるか否かを判定することができる。
【００１８】
通知部２４は、詰まり判定部２３による判定結果をディスプレイ６に表示することができる。通知部２４は、詰まり判定部２３によって詰まりが判定された場合には、詰まりを除去する方法もディスプレイ６に表示することができる。
【００１９】
図２は、携帯端末１の正面図である。図３は、携帯端末１の背面図である。
図２および図３を参照して、筐体９０の側面の上側に上部マイク６４が配置される。筐体９４の側面の下側に下部マイク１６４が配置される。筐体９０の正面の上側にフロントスピーカ１５４が配置される。筐体９０の背面の下側にリアスピーカ５４が配置される。
【００２０】
通常通話モードでは、フロントスピーカ１５４および下部マイク１６４がオン状態となる。下部マイク１６４からの音声が通話相手側に送信され、受信した相手側の音声がフロントスピーカ１５４から出力される。
【００２１】
ハンズフリー通話モードでは、リアスピーカ５４および上部マイク６４がオン状態となる。上部マイク６４からの音声が通話相手側に送信され、受信した相手側の音声がリアスピーカ５４から出力される。
【００２２】
図４は、リアスピーカ５４と、リアスピーカ５４用の発音孔５３を表わす図である。
リアスピーカ５４は、携帯端末１の筐体９０の内側に配置される。リアスピーカ５４は、筐体９０に設けられた発音孔５３と対峙する位置に配置される。
【００２３】
図５は、フロントスピーカ１５４と、フロントスピーカ１５４用の発音孔１５３を表わす図である。
【００２４】
フロントスピーカ１５４は、携帯端末１の筐体９０の内側に配置される。フロントスピーカ１５４は、筐体９０に設けられた発音孔１５３と対峙する位置に配置される。
【００２５】
図６は、上部マイク６４と、上部マイク６４用の集音孔６３を表わす図である。
上部マイク６４は、携帯端末１の筐体９０の内側に配置される。上部マイク６４は、筐体９０に設けられた集音孔６３と対峙する位置に配置される。
【００２６】
図７は、下部マイク１６４と、下部マイク１６４用の集音孔１６３を表わす図である。
下部マイク１６４は、携帯端末１の筐体９０の内側に配置される。下部マイク１６４は、筐体９０に設けられた集音孔１６３と対峙する位置に配置される。
【００２７】
図８は、リアスピーカ５４用の発音孔５３が付着物により詰まった状態を表わす図である。
【００２８】
リアスピーカ５４に対峙して配置される発音孔５３は、付着物によって詰まった状態となることがある。例えば、携帯端末１を海中で使用した場合、海水の水分が蒸発すると、海水中の塩分が析出し、その塩分によって例えば発音孔５３などが詰まった状態になることがある。他に、携帯端末１を石鹸などの洗剤で洗浄した場合、水分が蒸発すると、洗剤中の成分（例えば、石鹸カスなど）が析出し、その成分によって例えば発音孔５３などが詰まった状態になることがある。発音孔５３が前記付着物により詰まった状態となると、リアスピーカ５４から出力された音は、音量が減衰して筐体９０の外部へ出力される。
【００２９】
フロントスピーカ１５４用の発音孔１５３も、同様に、塩分、洗剤中の成分などの付着物によって詰まった状態となることがある。発音孔１５３が付着物により詰まった状態となると、フロントスピーカ１５４から出力された音は、音量が減衰して筐体９０の外部へ出力される。
【００３０】
図９は、上部マイク６４用の集音孔６３が詰まった状態を表わす図である。
上部マイク６４に対峙して配置される集音孔６３は、前記付着物によって詰まった状態となることがある。集音孔６３が詰まった状態となると、筐体９０の外部の音は、音量が減衰して上部マイク６４に入力される。
【００３１】
下部マイク１６４用の集音孔１６３は、同様に付着物５２によって詰まった状態となることがある。集音孔１６３が詰まった状態となると、筐体９０の外部の音は、音量が減衰して下部マイク１６４に入力される。
【００３２】
図１０は、第１の実施形態の携帯端末１の動作手順を表わすフローチャートである。図１１は、ユーザが詰まりチェックを指示するためのアイコンを表わす図である。図１２および図１３は、詰まりチェック結果の例を表わす図である。
【００３３】
図１０を参照して、ステップＳ１０１において、ユーザが、図１１に示すようなディスプレイ６に表示されている詰まりチェックアイコン３５１をタッチパネル５で選択することによって、詰まりチェックを指示した場合に、処理がステップＳ１０２に進む。
【００３４】
ステップＳ１０２において、テスト音生成部４は、一定の音量のテスト音を生成して、テスト音をリアスピーカ５４から出力させることができる。
【００３５】
ステップＳ１０３において、音量検出部２２は、テスト音が出力されている期間において、上部マイク６４に入力される音の音量Ｖ１を検出することができる。
【００３６】
ステップＳ１０４において、音量Ｖ１が所定の閾値ＴＨＡ未満の場合に、処理がステップＳ１０５に進み、音量Ｖ１が所定の閾値ＴＨＡ以上の場合に、処理がステップＳ１０６に進む。
【００３７】
ステップＳ１０５において、通知部２４は、図１２に示すように、上部マイク６４用の集音孔６３およびリアスピーカ５４用の発音孔５３のうちの少なくとも一方に付着物が詰まっていること、および詰まりの原因である付着物の除去方法を通知するメッセージ３５２をディスプレイ６に表示することができる。詰まりの除去方法としては、たとえば図１２に示すように、針や爪楊枝などの先端がとがった物で除去することを指示するものとしてもよい。
【００３８】
ステップＳ１０６において、通知部２４は、図１３に示すように、上部マイク６４用の集音孔６３およびリアスピーカ５４用の発音孔５３に詰まりがないことを通知するメッセージ３５３をディスプレイ６に表示することができる。
【００３９】
以上のように、第１の実施形態の携帯端末によれば、リアスピーカ５４から出力したテスト音を上部マイク６４で検出することによって、上部マイク６４用の集音孔６３およびリアスピーカ５４用の発音孔５３のうちの少なくとも一方に付着物が詰まっているか否かを検出することができる。
【００４０】
［第１の実施形態の変形例］
第１の実施形態では、リアスピーカ５４用の発音孔５３、および上部マイク６４用の集音孔６３の詰まりを判定したが、これに限定するものではない。
【００４１】
リアスピーカ５４用の発音孔５３、および下部マイク１６４用の集音孔１６３の詰まりを判定するものとしてもよい。この場合、図１０のステップＳ１０３において、音量検出部２２は、上部マイク６４に入力される音の音量に代えて、下部マイク１６４に入力される音の音量を検出すればよい。
【００４２】
または、フロントスピーカ１５４用の発音孔１５３、および上部マイク６４用の集音孔６３の詰まりを判定するものとしてもよい。この場合、図１０のステップＳ１０２において、テスト音生成部４は、一定の音量のテスト音を生成して、テスト音をリアスピーカ５４ではなく、フロントスピーカ１５４から出力させればよい。
【００４３】
または、フロントスピーカ１５４用の発音孔１５３、および下部マイク１６４用の集音孔１６３の詰まりを判定するものとしてもよい。
【００４４】
［第２の実施形態］
第２の実施形態の携帯端末では、ユーザが詰まりをチェックする箇所を選択することができる。
【００４５】
ユーザがタッチパネル５を通じて、２つのマイクから１つのマイクと、２つのスピーカから１つのスピーカを選択可能とする。
【００４６】
テスト音生成部２１は、選択されたスピーカからテスト音を出力させることができる。
音量検出部２２はは、選択されたマイクに入力される音の音量を検出することができる。
【００４７】
詰まり判定部２３は、検出された音量に基づいて、選択されたスピーカの発音孔および選択されたマイクの集音孔の少なくとも一方に詰まりがあるか否かを判定することができる。
【００４８】
図１４は、第２の実施形態の携帯端末１の動作手順を表わすフローチャートである。図１５は、ユーザが、詰まりチェックする箇所の組み合わせを選択するためのメニュー画面３５４を表わす図である。
【００４９】
図１４を参照して、ステップＳ２０１において、ユーザがディスプレイ６に表示されている詰まりチェックアイコンをタッチパネル５で選択することによって、詰まりチェックを指示した場合に、処理がステップＳ２０２に進む。
【００５０】
ステップＳ２０２において、ユーザがリアスピーカ５４用の発音孔５３および上部マイク６４用の集音孔６３の組み合わせを詰まりチェック対象として選択した場合には、処理がステップＳ２０６に進む。
【００５１】
ステップＳ２０３において、図１５に示すように、ユーザがリアスピーカ５４用の発音孔５３および下部マイク１６４用の集音孔１６３の組み合わせを詰まりチェック対象として選択した場合には、処理がステップＳ２１１に進む。
【００５２】
ステップＳ２０４において、ユーザがフロントスピーカ１５４用の発音孔１５３および上部マイク６４用の集音孔６３の組み合わせを詰まりチェック対象として選択した場合には、処理がステップＳ２１６に進む。
【００５３】
ステップＳ２０５において、ユーザがフロントスピーカ１５４用の発音孔１５３および下部マイク１６４用の集音孔１６３の組み合わせを詰まりチェック対象として選択した場合には、処理がステップＳ２２１に進む。
【００５４】
ステップＳ２０６において、テスト音生成部４は、一定の音量のテスト音を生成して、テスト音をリアスピーカ５４から出力させることができる。
【００５５】
ステップＳ２０７において、音量検出部２２は、テスト音が出力されている期間において、上部マイク６４に入力される音の音量Ｖ１１を検出することができる。
【００５６】
ステップＳ２０８において、音量Ｖ１１が所定の閾値ＴＨＡ未満の場合に、処理がステップＳ２０９に進み、音量Ｖ１１が所定の閾値ＴＨＡ以上の場合に、処理がステップＳ２１０に進む。
【００５７】
ステップＳ２０９において、通知部２４は、上部マイク６４用の集音孔６３およびリアスピーカ５４用の発音孔５３のうちの少なくとも一方に食塩または石鹸カスが詰まっていること、および詰まりの除去方法を通知するメッセージをディスプレイ６に表示することができる。
【００５８】
ステップＳ２１０において、通知部２４は、上部マイク６４用の集音孔６３およびリアスピーカ５４用の発音孔５３に詰まりがないことを通知するメッセージをディスプレイ６に表示することができる。
【００５９】
ステップＳ２１１において、テスト音生成部４は、一定の音量のテスト音を生成して、テスト音をリアスピーカ５４から出力させることができる。
【００６０】
ステップＳ２１２において、音量検出部２２は、テスト音が出力されている期間において、下部マイク１６４に入力される音の音量Ｖ２１を検出することができる。
【００６１】
ステップＳ２１３において、音量Ｖ２１が所定の閾値ＴＨＡ未満の場合に、処理がステップＳ２１４に進み、音量Ｖ２１が所定の閾値ＴＨＡ以上の場合に、処理がステップＳ２１５に進む。
【００６２】
ステップＳ２１４において、通知部２４は、下部マイク１６４用の集音孔１６３およびリアスピーカ５４用の発音孔５３のうちの少なくとも一方に付着物が詰まっていること、および詰まりの除去方法を通知するメッセージをディスプレイ６に表示することができる。
【００６３】
ステップＳ２１５において、通知部２４は、下部マイク１６４用の集音孔１６３およびリアスピーカ５４用の発音孔５３に詰まりがないことを通知するメッセージをディスプレイ６に表示することができる。
【００６４】
ステップＳ２１６において、テスト音生成部４は、一定の音量のテスト音を生成して、テスト音をフロントスピーカ１５４から出力させることができる。
【００６５】
ステップＳ２１７において、音量検出部２２は、テスト音が出力されている期間において、上部マイク６４に入力される音の音量Ｖ１２を検出することができる。
【００６６】
ステップＳ２１８において、音量Ｖ１２が所定の閾値ＴＨＡ未満の場合に、処理がステップＳ２１９に進み、音量Ｖ１２が所定の閾値ＴＨＡ以上の場合に、処理がステップＳ２２０に進む。
【００６７】
ステップＳ２１９において、通知部２４は、上部マイク６４用の集音孔６３およびフロントスピーカ１５４用の発音孔１５３のうちの少なくとも一方に付着物が詰まっていること、および詰まりの除去方法を通知するメッセージをディスプレイ６に表示することができる。
【００６８】
ステップＳ２２０において、通知部２４は、上部マイク６４用の集音孔６３およびフロントスピーカ１５４用の発音孔１５３に詰まりがないことを通知するメッセージをディスプレイ６に表示することができる。
【００６９】
ステップＳ２２１において、テスト音生成部４は、一定の音量のテスト音を生成して、テスト音をフロントスピーカ１５４から出力させることができる。
【００７０】
ステップＳ２２２において、音量検出部２２は、テスト音が出力されている期間において、下部マイク１６４に入力される音の音量Ｖ２２を検出することができる。
【００７１】
ステップＳ２２３において、音量Ｖ２２が所定の閾値ＴＨＡ未満の場合に、処理がステップＳ２２４に進み、音量Ｖ２２が所定の閾値ＴＨＡ以上の場合に、処理がステップＳ２２５に進む。
【００７２】
ステップＳ２２４において、通知部２４は、下部マイク１６４用の集音孔１６３およびフロントスピーカ１５４用の発音孔１５３のうちの少なくとも一方に付着物が詰まっていること、および詰まりの除去方法を通知するメッセージをディスプレイ６に表示することができる。
【００７３】
ステップＳ２２５において、通知部２４は、下部マイク１６４用の集音孔１６３およびフロントスピーカ１５４用の発音孔１５３に詰まりがないことを通知するメッセージをディスプレイ６に表示することができる。
【００７４】
以上のように、第２の実施形態の携帯端末では、複数のスピーカの中から選択されたスピーカから出力されたテスト音を複数のマイクの中から選択されたマイクで検出することによって、選択されたマイク用の集音孔および選択されたスピーカの発音孔のうちの少なくとも一方に付着物が詰まっているか否かを検出することができる。なお、本実施形態の場合、ユーザ操作によりマイク用の集音孔および選択されたスピーカの発音孔の詰まりをチェックしているが、本開示はこれに限定されず、例えば、携帯端末が自動的に図１４のフローを実行してもよい。また、その際、テスト音を出すタイミングは、例えば、音を出してもよい環境（例えば、ユーザが目覚まし設定をした時刻など）に自動的にチェックを開始してもよい。
【００７５】
また、図１４のＳ２０２〜Ｓ２０５の選択してテスト音を出力することにより、詰まりの原因となっている箇所を特定することができる。例えば、Ｓ２０２を経てＳ２１０（上部マイク用の集音孔およびリアスピーカ用の発音孔に詰まりなし）の結果が出た後、Ｓ２０３を経てＳ２１４（下部マイク用の集音孔又はリアスピーカ用の発音孔に詰まりがある）の結果が出た場合、下部スピーカに詰まりがあることが特定される。このように、図１４のフローチャートにおいて、Ｓ２０２〜Ｓ２０５のステップのいずれか２つ以上を行うことにより、詰まりの原因となる箇所を特定できるため好ましい。
【００７６】
［第３の実施形態］
第３の実施形態の電子機器では、上部マイク６４に入力される音の音量と下部マイク１６４に入力される音の音量の両方を用いることによって、詰まりがある箇所を絞り込む。
【００７７】
音量検出部２２は、テスト音が出力されている期間に上部マイク６４に入力される音の音量Ｖ１を検出し、下部マイク１６４に入力される音の音量Ｖ２を検出することができる。
【００７８】
詰まり判定部２３は、音量Ｖ１が所定の閾値ＴＨＡ未満であり、かつ音量Ｖ２が所定の閾値ＴＨＡ以上の場合に、上部マイク６４用の集音孔６３に詰まりがある（パターンＡ）と判定することができる。
【００７９】
詰まり判定部２３は、音量Ｖ１が所定の閾値ＴＨＡ以上であり、かつ音量Ｖ２が所定の閾値ＴＨＡ未満の場合に、下部マイク１６４用の集音孔１６３に詰まりがある（パターンＢ）と判定することができる。
【００８０】
詰まり判定部２３は、音量Ｖ１が所定の閾値ＴＨＡ未満であり、かつ音量Ｖ２が所定の閾値ＴＨＡ未満の場合に、上部マイク６４用の集音孔６３および下部マイク１６４用の集音孔１６３の両方に詰まりがある第１のパターン（パターンＣ）、およびリアスピーカ５４用の発音孔５３に詰まりがある第２のパターン（パターンＤ）のうちの少なくとも一方であると判定することができる。
【００８１】
図１６は、第３の実施形態の携帯端末１の動作手順を表わすフローチャートである。
ステップＳ３０１において、ユーザが、ディスプレイ６に表示されている詰まりチェックアイコンをタッチパネル５で選択することによって、詰まりチェックを指示した場合に、処理がステップＳ３０２に進む。
【００８２】
ステップＳ３０２において、テスト音生成部４は、テスト音を生成して、テスト音をリアスピーカ５４から出力させることができる。
【００８３】
ステップＳ３０３において、音量検出部２２は、上部マイク６４に入力される音の音量Ｖ１を検出することができる。
【００８４】
ステップＳ３０４において、音量検出部２２は、下部マイク１６４に入力される音の音量Ｖ２を検出することができる。
【００８５】
ステップＳ３０５において、音量Ｖ１が所定の閾値ＴＨＡ未満であり、かつ音量Ｖ２が所定の閾値ＴＨＡ以上の場合に、処理がステップＳ３０６に進む。
【００８６】
ステップＳ３０６において、通知部２４は、上部マイク６４用の集音孔６３に付着物が詰まっていること（パターンＡ）、および詰まりの除去方法を通知するメッセージをディスプレイ６に表示することができる。
【００８７】
ステップＳ３０７において、音量Ｖ１が所定の閾値ＴＨＡ以上であり、かつ音量Ｖ２が所定の閾値ＴＨＡ未満の場合に、処理がステップＳ３０８に進む。
【００８８】
ステップＳ３０８において、通知部２４は、下部マイク１６４用の集音孔１６３に付着物が詰まっていること（パターンＢ）、および詰まりの除去方法を通知するメッセージをディスプレイ６に表示することができる。
【００８９】
ステップＳ３０９において、音量Ｖ１が所定の閾値ＴＨＡ未満であり、かつ音量Ｖ２が所定の閾値ＴＨＡ未満の場合に、処理がステップＳ３１０に進む。
【００９０】
ステップＳ３１０において、通知部２４は、上部マイク６４用の集音孔６３および下部マイク１６４用の集音孔１６３に付着物が詰まっている（パターンＣ）と、リアスピーカ５４用の発音孔５３に付着物が詰まっている（パターンＤ）のうちの少なくとも一方であること、および詰まりの除去方法を通知するメッセージをディスプレイ６に表示することができる。
【００９１】
ステップＳ３０９において、音量Ｖ１が所定の閾値ＴＨＡ以上であり、かつ音量Ｖ２が所定の閾値ＴＨＡ以上の場合に、処理がステップＳ３１１に進む。
【００９２】
ステップＳ３１１において、通知部２４は、上部マイク６４用の集音孔６３、下部マイク１６４用の集音孔１６３、およびリアスピーカ５４用の発音孔５３に詰まりがないことを通知するメッセージをディスプレイ６に表示することができる。
【００９３】
以上のように、第３の実施形態によれば、リアスピーカ５４から音を出力し、上部マイク６４に入力される音の音量と下部マイク１６４に入力される音の音量を検出することによって、詰まりがある箇所が上部マイク６４用の集音孔６３（パターンＡ）か、下部マイク１６４用の集音孔１６３（パターンＢ）か、または上部マイク６４用の集音孔６３と下部マイク１６４用の集音孔１６３の両方（パターンＣ）とリアスピーカ５４用の発音孔５３（パターンＤ）の少なくとも一方であるかを判定することができる。
【００９４】
なお、上記の実施形態では、リアスピーカ５４から音を出力することとしたが、これに限定するものではなく、フロントスピーカ１５４から音を出力するものとしてもよい。
【００９５】
［第４の実施形態］
第４の実施形態の電子機器では、リアスピーカ５４とフロントスピーカ１５４の両方から音を出力することによって、詰まりがある箇所を絞り込む。
【００９６】
音量検出部２２は、リアスピーカ５４からテスト音が出力されている期間に下部マイク１６４に入力される音の音量Ｖ２１を検出することができる。音量検出部２２は、フロントスピーカ１５４からテスト音が出力されている期間に下部マイク１６４に入力される音の音量Ｖ２２を検出することができる。
【００９７】
詰まり判定部２３は、音量Ｖ２１が所定の閾値ＴＨＡ未満であり、かつ音量Ｖ２２が所定の閾値ＴＨＡ以上の場合に、リアスピーカ５４用の発音孔５３に詰まりがある（パターンａ）と判定することができる。
【００９８】
詰まり判定部２３は、音量Ｖ２１が所定の閾値ＴＨＡ以上であり、かつ音量Ｖ２２が所定の閾値ＴＨＡ未満の場合に、フロントスピーカ１５４用の発音孔１５３に詰まりがある（パターンｂ）と判定することができる。
【００９９】
詰まり判定部２３は、音量Ｖ２１が所定の閾値ＴＨＡ未満であり、かつ音量Ｖ２２が所定の閾値ＴＨＡ未満の場合に、リアスピーカ５４用の発音孔５３およびフロントスピーカ１５４用の発音孔１５３の両方に詰まりがある第１のパターン（パターンｃ）、および下部マイク１６４用の集音孔１６３に詰まりがある第２のパターン（パターンｄ）のうちの少なくとも一方であると判定することができる。
【０１００】
図１７は、第４の実施形態の携帯端末１の動作手順を表わすフローチャートである。
ステップＳ９０１において、ユーザが、ディスプレイ６に表示されている詰まりチェックアイコンをタッチパネル５で選択することによって、詰まりチェックを指示した場合に、処理がステップＳ９０２に進む。
【０１０１】
ステップＳ９０２において、テスト音生成部４は、テスト音を生成して、テスト音をリアスピーカ５４から出力させることができる。
【０１０２】
ステップＳ９０３において、音量検出部２２は、下部マイク１６４に入力される音の音量Ｖ２１を検出することができる。
【０１０３】
ステップＳ９０４において、テスト音生成部４は、テスト音を生成して、テスト音をフロントスピーカ１５４から出力させることができる。
【０１０４】
ステップＳ９０５において、音量検出部２２は、下部マイク１６４に入力される音の音量Ｖ２２を検出することができる。
【０１０５】
ステップＳ９０６において、音量Ｖ２１が所定の閾値ＴＨＡ未満であり、かつ音量Ｖ２２が所定の閾値ＴＨＡ以上の場合に、処理がステップＳ９０７に進む。
【０１０６】
ステップＳ９０７において、通知部２４は、リアスピーカ５４用の発音孔５３に付着物が詰まっていること（パターンａ）、および詰まりの除去方法を通知するメッセージをディスプレイ６に表示することができる。
【０１０７】
ステップＳ９０８において、音量Ｖ２１が所定の閾値ＴＨＡ以上であり、かつ音量Ｖ２２が所定の閾値ＴＨＡ未満の場合に、処理がステップＳ９０９に進む。
【０１０８】
ステップＳ９０９において、通知部２４は、フロントスピーカ１５４用の発音孔１５３に付着物が詰まっていること（パターンｂ）、および詰まりの除去方法を通知するメッセージをディスプレイ６に表示することができる。
【０１０９】
ステップＳ９１０において、音量Ｖ２１が所定の閾値ＴＨＡ未満であり、かつ音量Ｖ２２が所定の閾値ＴＨＡ未満の場合に、処理がステップＳ９１１に進む。
【０１１０】
ステップＳ９１１において、通知部２４は、リアスピーカ５４用の発音孔５３およびフロントスピーカ１５４用の発音孔１５３に付着物が詰まっている（パターンｃ）と、下部マイク１６４用の集音孔１６３に付着物が詰まっている（パターンｄ）のうちの少なくとも一方であること、および詰まりの除去方法を通知するメッセージをディスプレイ６に表示することができる。
【０１１１】
ステップＳ９１０において、音量Ｖ２１が所定の閾値ＴＨＡ以上であり、かつ音量Ｖ２２が所定の閾値ＴＨＡ以上の場合に、処理がステップＳ９１２に進む。
【０１１２】
ステップＳ９１２において、通知部２４は、リアスピーカ５４用の発音孔５３、フロントスピーカ１５４用の発音孔１５３、および下部マイク１６４用の集音孔１６３に詰まりがないことを通知するメッセージをディスプレイ６に表示することができる。
【０１１３】
以上のように、第４の実施形態によれば、リアスピーカ５４とフロントスピーカ１５４から音を出力し、下部マイク１６４に入力される音の音量を検出することによって、詰まりがある箇所がリアスピーカ５４用の発音孔５３（パターンａ）か、フロントスピーカ１５４用の発音孔１５３（パターンｂ）か、またはリアスピーカ５４用の発音孔５３とフロントスピーカ１５４用の発音孔１５３の両方（パターンｃ）と下部マイク１６４用の集音孔１６３（パターンｄ）の少なくとも一方であるかを判定することができる。
【０１１４】
なお、上記の実施形態では、下部マイク１６４に入力される音の音量を検出するものとしたが、これに限定されるものではなく、上部マイク６４に入力される音の音量を検出するものとしてもよい。
【０１１５】
［第５の実施形態］
第５の実施形態の携帯端末は、テスト音ではなく、通話時のユーザが発した音声がマイクに入力される音量に基づいて、マイクの集音孔に詰まりがあるか否かを検出する。
【０１１６】
音量検出部２２は、通話中に下部マイク１６４から入力される音の音量を検出することができる。
【０１１７】
詰まり判定部２３は、検出された音量に基づいて、下部マイク１６４の集音孔１６３に詰まりがあるか否かを判定することができる。
【０１１８】
図１８は、第５の実施形態の携帯端末１の動作手順を表わすフローチャートである。
図１８を参照して、ステップＳ４０１において、携帯端末１の無線通信部１４によって通話が行われている場合には、処理がステップＳ４０２に進む。
【０１１９】
ステップＳ４０２において、音量検出部２２は、下部マイク１６４に入力される音の音量Ｖ２を検出することができる。
【０１２０】
ステップＳ４０３において、音量Ｖ２が所定の閾値ＴＨＡ未満である場合に、処理がステップＳ４０４に進み、音量Ｖ２が所定の閾値ＴＨＡ以上である場合に、処理がステップＳ４０５に進む。
【０１２１】
ステップＳ４０４において、通知部２４は、下部マイク１６４用の集音孔１６３に付着物が詰まっていること、および詰まりの除去方法を通知するメッセージをディスプレイ６に表示することができる。
【０１２２】
ステップＳ４０５において、通知部２４は、下部マイク１６４用の集音孔１６３に詰まりがないことを通知するメッセージをディスプレイ６に表示することができる。
【０１２３】
以上のように、第４の実施形態の携帯端末によれば、通話時に下部マイク１６４に入力される音の音量と所定の閾値との比較によって、下部マイク１６４の集音孔１６３に詰まりがあるか否かを判定することができる。
【０１２４】
［第６の実施形態］
第６の実施形態では、詰まり判定部２３は、通話時にマイクに入力された音の音量と、過去の通話時の音量のログとの比較によって、マイクの集音孔に詰まりがあるか否かを判定することができる。
【０１２５】
図１９は、第６の実施形態の携帯端末１の動作手順を表わすフローチャートである。
図１９を参照して、ステップＳ５０１において、携帯端末１の無線通信部１４によって通話が行われている場合には、処理がステップＳ５０２に進む。
【０１２６】
ステップＳ５０２において、音量検出部２２は、下部マイク１６４に入力される音の音量Ｖ２を検出することができる。
【０１２７】
ステップＳ５０３において、音量Ｖ２が、過去に通話中に下部マイク１６４に入力された音の音量の平均値から所定量Δαだけ減算した値未満である場合に、処理がステップＳ５０４に進み、音量Ｖ２が、過去に通話中に下部マイク１６４に入力された音の音量の平均値から所定量Δαだけ減算した値以上である場合に、処理がステップＳ５０５に進む。
【０１２８】
ステップＳ５０４において、通知部２４は、下部マイク１６４用の集音孔１６３に付着物が詰まっていること、および詰まりの除去方法を通知するメッセージをディスプレイ６に表示することができる。
【０１２９】
ステップＳ５０５において、通知部２４は、下部マイク１６４用の集音孔１６３に詰まりがないことを通知するメッセージをディスプレイ６に表示することができる。
【０１３０】
以上のように、第６の実施形態によれば、通話時に下部マイク１６４に入力される音の音量と過去の通話時に下部マイク１６４に入力された音の音量との比較によって、下部マイク１６４の集音孔１６３に詰まりがあるか否かを判定することができる。
【０１３１】
なお、上記の実施形態では、通話時に下部マイク１６４に入力されるのは、主としてユーザの音声であることを前提としたが、周囲の騒音の大きさが大きい場合には、マイクに入力される音のうち人の声の周波数の音の大きさを検出するようにすればよい。
【０１３２】
［第７の実施形態］
第７の実施形態の携帯端末では、通話時に通常通話モードとハンズフリー通話モードのいずれかを選択して、選択したモードに応じたスピーカから音を出力し、選択したモードに応じたマイクから音を入力することができる。
【０１３３】
通常通話モードでは、第６の実施形態と同様に、音量検出部２２は、通話中に下部マイク１６４から入力される音の音量を検出することができ、詰まり判定部２３は、検出された音量に基づいて、下部マイク１６４の集音孔１６３に詰まりがあるか否かを判定することができる。
【０１３４】
ハンズフリー通話モードでは、音量検出部２２は、通話中に無線通信部１４によって通話相手側の音声が受信されていない期間に、上部マイク６４から入力される音の音量を検出することができ、詰まり判定部２３は、検出された音量に基づいて、上部マイク６４の集音孔６３に詰まりがあるか否かを判定することができる。
【０１３５】
図２０は、第７の実施形態の携帯端末１の動作手順を表わすフローチャートである。
図２０を参照して、ステップＳ６０１において、携帯端末１の無線通信部１４によって通話が行われている場合には、処理がステップＳ６０２に進む。
【０１３６】
ステップＳ６０２において、現在の通話モードがハンズフリー通話モードの場合には、処理がステップＳ６０３に進み、現在の通話モードが通常通話モードの場合には、処理がステップＳ６０４に進む。
【０１３７】
ステップＳ６０３において、音量検出部２２は、無線通信部１４によって通話相手側の音声が受信されていない期間に上部マイク６４に入力される音の音量Ｖ１を検出することができる。
【０１３８】
ステップＳ６０４において、音量Ｖ１が所定の閾値ＴＨＡ未満である場合に、処理がステップＳ６０５に進み、音量Ｖ１が所定の閾値ＴＨＡ以上である場合に、処理がステップＳ６０６に進む。
【０１３９】
ステップＳ６０５において、通知部２４は、上部マイク６４用の集音孔６３に付着物が詰まっていること、および詰まりの除去方法を通知するメッセージをディスプレイ６に表示することができる。
【０１４０】
ステップＳ６０６において、通知部２４は、上部マイク６４用の集音孔６３に詰まりがないことを通知するメッセージをディスプレイ６に表示することができる。
【０１４１】
ステップＳ６０７において、音量検出部２２は、下部マイク１６４に入力される音の音量Ｖ２を検出することができる。
【０１４２】
ステップＳ６０８において、音量Ｖ２が所定の閾値ＴＨＡ未満である場合に、処理がステップＳ６０９に進み、音量Ｖ２が所定の閾値ＴＨＡ以上である場合に、処理がステップＳ６１０に進む。
【０１４３】
ステップＳ６０９において、通知部２４は、下部マイク１６４用の集音孔１６３に付着物が詰まっていること、および詰まりの除去方法を通知するメッセージをディスプレイ６に表示することができる。
【０１４４】
ステップＳ６１０において、通知部２４は、下部マイク１６４用の集音孔１６３に詰まりがないことを通知するメッセージをディスプレイ６に表示することができる。
【０１４５】
以上のように、第７の実施形態によれば、ハンズフリー通話モードにおいても、下部マイク１６４の集音孔１６３の詰まりの有無を判定することができる。
【０１４６】
なお、上記の実施形態では、ハンズフリー通話モード時に通話相手側の音声が受信されていない期間に上部マイク６４に入力されるのは、主としてユーザの音声であることを前提としたが、周囲の騒音の大きさが大きい場合には、マイクに入力される音のうち人の声の周波数の音の大きさを検出するようにすればよい。
【０１４７】
［第８の実施形態］
第３の実施形態において、図１６のステップＳ３１０では、詰まりのある箇所の候補しか特定することができない。第８の実施形態では、ステップＳ３１０において特定された詰まりのある候補の中から詰まりのある箇所を明確に特定することができる。
【０１４８】
図２１は、第８の実施形態の携帯端末１の動作手順を表わすフローチャートである。
図２１を参照して、ステップＳ７０１において、携帯端末１の無線通信部１４によって通話が行われている場合には、処理がステップＳ７０２に進む。
【０１４９】
ステップＳ７０２において、音量検出部２２は、下部マイク１６４に入力される音の音量Ｖ２を検出することができる。
【０１５０】
ステップＳ７０３において、音量Ｖ２が所定の閾値ＴＨＡ未満である場合に、処理がステップＳ７０４に進み、音量Ｖ２が所定の閾値ＴＨＡ以上である場合に、処理がステップＳ７０５に進む。
【０１５１】
ステップＳ７０４において、通知部２４は、下部マイク１６４用の集音孔１６３に付着物が詰まっていること、および詰まりの除去方法を通知するメッセージをディスプレイ６に表示することができる。
【０１５２】
ステップＳ７０５において、図１６に示す手順で行われた詰まりチェック結果が、上部マイク６４用の集音孔６３および下部マイク１６４用の集音孔１６３の両方に付着物が詰まっている（パターンＣ）と、リアスピーカ５４用の発音孔５３に付着物が詰まっている（パターンＤ）のうちの少なくとも一方と判定された場合に、処理がステップＳ７０６に進み、上記判定結果以外の判定結果の場合には、処理がステップＳ７０７に進む。
【０１５３】
ステップＳ７０６において、通知部２４は、リアスピーカ５４用の発音孔５３に付着物が詰まっていること（パターンＤ）、および詰まりの除去方法を通知するメッセージをディスプレイ６に表示することができる。
【０１５４】
ステップＳ７０７において、通知部２４は、下部マイク１６４用の集音孔１６３に詰まりがないことを通知するメッセージをディスプレイ６に表示することができる。
【０１５５】
［第９の実施形態］
第４の実施形態において、図１７のステップＳ９１１では、詰まりのある箇所の候補しか特定することができない。第９の実施形態では、ステップＳ９１０において特定された詰まりのある候補の中から詰まりのある箇所を明確に特定することができる。
【０１５６】
図２２は、第９の実施形態の携帯端末１の動作手順を表わすフローチャートである。
図２２を参照して、ステップＳ１００１において、携帯端末１の無線通信部１４によって通話が行われている場合には、処理がステップＳ１００２に進む。
【０１５７】
ステップＳ１００２において、音量検出部２２は、下部マイク１６４に入力される音の音量Ｖ２を検出することができる。
【０１５８】
ステップＳ１００３において、音量Ｖ２が所定の閾値ＴＨＡ未満である場合に、処理がステップＳ１００４に進み、音量Ｖ２が所定の閾値ＴＨＡ以上である場合に、処理がステップＳ１００５に進む。
【０１５９】
ステップＳ１００４において、通知部２４は、下部マイク１６４用の集音孔１６３に付着物が詰まっていること、および詰まりの除去方法を通知するメッセージをディスプレイ６に表示することができる。
【０１６０】
ステップＳ１００５において、図１７に示す手順で行われた詰まりチェック結果が、リアスピーカ５４用の発音孔５３およびフロントスピーカ１５４用の発音孔１５３に付着物が詰まっている（パターンｃ）と、下部マイク１６４用の集音孔１６３に付着物が詰まっている（パターンｄ）のうちの少なくとも一方であると判定された場合に、処理がステップＳ１００６に進み、上記判定結果以外の判定結果の場合には、処理がステップＳ１００７に進む。
【０１６１】
ステップＳ１００６において、通知部２４は、リアスピーカ５４用の発音孔５３およびフロントスピーカ１５４用の発音孔１５３に付着物が詰まっている（パターンｃ）こと、および詰まりの除去方法を通知するメッセージをディスプレイ６に表示することができる。
【０１６２】
ステップＳ１００７において、通知部２４は、下部マイク１６４用の集音孔１６３に詰まりがないことを通知するメッセージをディスプレイ６に表示することができる。
【０１６３】
［第１０の実施形態］
第１０の実施形態の携帯端末は、スピーカの表面の付着物の有無を判定することができる。
【０１６４】
図２３は、リアスピーカ５４に付着物が存在する状態を表わす図である。
リアスピーカ５４を構成する振動シート５１に付着物５２が付着することがある。振動シート５５に付着物が存在すると、リアスピーカ５４から出力される音の周波数特性が、付着物がない通常時に比べて変化する。
【０１６５】
図２４は、リアスピーカ５４から出力される音の周波数特性の一例を表わす図である。
図２４において、Ｒｉは、通常時における周波数ｆｉの音量（ｄＢ）を表わす。Ｓｉは、振動シート５１に付着物が存在するときの周波数ｆｉの音量（ｄＢ）を表わす。周波数ｆｘ以上を高域と定義した場合に、高域において、通常時の音量に比べて、付着物が存在するときの音量が小さくなるという特性がある。
【０１６６】
テスト音生成部２１は、複数の周波数の各々のみを周波数成分とするテスト音を生成して、テスト音をリアスピーカ５４から出力させることができる。
【０１６７】
図２５は、第１０の実施形態の携帯端末９１の構成を表わす図である。
この携帯端末９１は、携帯端末１に含まれる音量検出部２２、詰まり判定部２３に代えて、周波数特性検出部１２２、付着判定部１２３を備える。携帯端末９１は、さらに、基準周波数特性記憶部９２を備える。
【０１６８】
周波数特性検出部１２２は、上部マイク６４に入力される音の周波数特性を検出することができる。具体的には、周波数特性検出部１２２は、複数の周波数のうちの各周波数のみを周波数成分とするテスト音が出力されている期間に上部マイク６４に入力される各周波数における音の音量を検出することができる。
【０１６９】
基準周波数特性記憶部９２は、複数の周波数における音の基準音量を記憶するように構成される。基準音量とは、リアスピーカ５４の振動シート５１に付着物が存在しないときの音量であり、図２４におけるＲ１〜Ｒｎである。
【０１７０】
付着判定部１２３は、検出された複数の周波数における音量と、記憶部に記憶されている複数の周波数における基準音量とに基づいて、リアスピーカ５４の表面に付着物が存在するか否かを判定することができる。
【０１７１】
たとえば、付着判定部１２３は、式（１）に示すように、周波数がｆｘ以上の高域において、基準音量と検出された音量との２乗和が所定値ＴＨＢを超えるときに、リアスピーカ５４の表面に付着物が存在するか否かを判定することができる。
【０１７２】
図２６は、第１０の実施形態の携帯端末１の動作手順を表わすフローチャートである。図２７は、ユーザが付着チェックを指示するためのアイコンを表わす図である。図２８および図２９は、付着チェック結果の例を表わす図である。
【０１７３】
図２６を参照して、ステップＳ８０１において、ユーザが、図２７に示すうようなディスプレイ６に表示されている付着チェックアイコン４５２をタッチパネル５で選択することによって、付着チェックを指示した場合に、処理がステップＳ１０２に進む。
【０１７４】
ステップＳ８０２において、制御変数ｉが１に設定されることができる。
ステップＳ８０３において、テスト音生成部４は、周波数ｆｉテスト音を生成して、テスト音をリアスピーカ５４から出力させることができる。
【０１７５】
ステップＳ８０４において、周波数特性検出部１２２は、上部マイク６４に入力される音の音量Ｓ（ｆｉ）を検出することができる。
【０１７６】
ステップＳ８０５において、制御変数ｉがｎの場合に、処理がステップＳ８０７に進み、制御変数ｉがｎでない場合に、処理がステップＳ８０６に進む。
【０１７７】
ステップＳ８０６において、制御変数ｉがインクリメントされて、処理がステップＳ８０３に戻る。
【０１７８】
ステップＳ８０５において、式（１）に示すように、周波数がｆｘ以上の高域において、基準音量Ｒ（ｆｉ）と検出された音量Ｓ（ｆｉ）との２乗平均和が所定値ＴＨＢを超える場合に、処理がステップＳ８０８に進む。周波数がｆｘ以上の高域において、基準音量Ｒ（ｆｉ）と検出された音量Ｓ（ｆｉ）との差の２乗平均和が所定値ＴＨＢ以下の場合に、処理がステップＳ８０９に進む。
【０１７９】
【数１】
0006518530.tif 000002
【０１８０】
ステップＳ８０８において、通知部２４は、図２８に示すように、リアスピーカ５４用の振動シート５１の表面に付着物が付着していること、および付着物の除去方法を通知するメッセージ３５５をディスプレイ６に表示することができる。付着物の除去方法としては、たとえば図２６に示すように、リアスピーカ５４用の発音孔５３に水を流入させて、洗い流すことを指示するものとしてもよい。
【０１８１】
ステップＳ８０９において、通知部２４は、図２９に示すように、リアスピーカ５４用の振動シート５１の表面に付着物が存在しないことを通知するメッセージ３５６をディスプレイ６に表示することができる。
【０１８２】
以上のように、第１０の実施形態の携帯端末によれば、リアスピーカ５４から出力された複数の周波数のテスト音を上部マイク６４で検出することによって、リアスピーカ５４から筐体９０の外部に出力される音の周波数特性を検出することができる。携帯端末は、検出した周波数数特性と、正常時の周波数特性とを比較することによって、リアスピーカ５４の表面に付着物が存在するか否かを判定することができる。
【０１８３】
なお、上記の実施形態では、リアスピーカへの付着物の検出について説明したが、これに限定するものではない。フロントスピーカへの付着物の検出、上部マイクへの付着物の検出、下部マイクへの付着物の検出についても、上記と同様にして実行することができる。
【０１８４】
［第１０の実施形態の変形例］
図３０は、リアスピーカ５４から出力される音の周波数特性の別の例を表わす図である。
【０１８５】
図３０において、Ｒｉは、通常時における周波数ｆｉの音量（ｄＢ）を表わす。Ｓｉは、振動シート５１に付着物が存在するときの周波数ｆｉの音量（ｄＢ）を表わす。周波数ｆｙ以下を低域と定義した場合に、低域において、通常時の音量に比べて、付着物が存在するときの音量が小さくなるという特性がある。
【０１８６】
付着判定部１２３は、式（２）に示すように、周波数がｆｙ以下の低域において、基準音量と検出された音量との差の２乗平均和が所定値ＴＨＣを超えるときに、リアスピーカ５４の表面に付着物が存在するか否かを判定することができる。
【０１８７】
【数２】
0006518530.tif 000003
【０１８８】
（変形例）
本開示は、上記の実施形態に限定されるものではない。本開示は、たとえば、以下のような変形例も含む。
【０１８９】
（１）除去方法
上記の実施形態では、発音孔および集音孔の詰まりの除去方法としては、図１２に示すように、針や爪楊枝などの先端がとがった物で除去することを指示するものとしたが、これに限定するものではない。たとえば、発音孔および集音孔に水を注入して、洗い流すものとしてもよい。
【０１９０】
また、発音孔の詰まり、集音孔の詰まり、およびスピーカの表面の付着物を除去するのに、筐体のカバーを取り外して、水などで洗い流すものとしてもよい。
【０１９１】
（２）筐体内部への物質の侵入をブロックする構成
複数の物質のうち一部の物質が、スピーカに付着すると、スピーカの周波数特性を変化させるような場合に、フィルタを用いて、その一部の物質の侵入をブロックすることができる。
【０１９２】
図３１は、リアスピーカ５４用の発音孔５３にフィルタ２５１を設けた構成を表わす図である。
【０１９３】
フィルタ２５１が、発音孔５３とリアスピーカ５４との間に設けられる。フィルタ２５１としては、例えば、セロハン膜など（半透膜）などが挙げられる。フィルタ２５１は、粒子の大きさにもとづいて粒子を分離させることができる。発音孔５３に浸入した粒子のうち、一定未満の大きさを有する粒子２５３を通過させるが、一定以上の大きさを有する粒子２５２を通過させない。例えば、海水中で携帯端末を使用し、その後、洗剤を溶かした洗浄液で洗浄した場合、発音孔５３には、海水と洗浄液とが存在することになるが、フィルタ２５１によって、塩化ナトリウムのような小さい粒子の溶液である海水はフィルタ２５１を通り、コロイド溶液に該当する洗浄液はフィルタ２５１を通過しない。これによって、振動シート５１に付着する物質を粒子２５３のみとすることができる。よって、フィルタ２５１を設け、例えば、スピーカからの音量をマイクで検出し、さらにスピーカからの異なる音の周波数特性をマイクで検出することにより、汚れが何によるのかを明らかにすることができる。
【０１９４】
（３）圧電素子を用いた洗浄
図３２は、圧電素子型のスピーカの振動を利用してリアスピーカ５４の洗浄方法を説明するための図である。
【０１９５】
容器５９６内の水５９５の中に携帯端末１を浸して、圧電素子型のスピーカ５９４を振動させる。この振動が水５９５を介して、リアスピーカ５４の振動シート５１に伝わり、振動シート５１に付着した物質を除去することができる。
【０１９６】
圧電素子型のスピーカ５９４は、ユーザがメニューを選択することによって振動させてもよいし、あるいは水に浸すと自動的に振動するものとしてもよい。
【０１９７】
（４）周囲の騒音
第１〜第４の実施形態では、スピーカから出力されたテスト音のみがマイクに入力されることを前提としたが、周囲の騒音の大きさが大きい場合には、特定の周波数のテスト音をスピーカから出力し、マイクに入力される特定の周波数の音の大きさを検出するようにすればよい。
【０１９８】
今回開示された実施の形態はすべての点で例示であって制限的なものではないと考えられるべきである。本開示の範囲は上記した説明ではなくて特許請求の範囲によって示され、特許請求の範囲と均等の意味および範囲内でのすべての変更が含まれることが意図される。
【符号の説明】
【０１９９】
１  電子機器、５  タッチパネル、６  ディスプレイ、１３  アンテナ、１４  無線通信部、２１  テスト音生成部、２２  音量検出部、２３  詰まり判定部、２４  通知部、５１  振動シート、５２  付着物、５３，１５３  発音孔、５４  リアスピーカ、６３，１６３  集音孔、６４  上部マイク、９０  筐体、９２  基準周波数特性記憶部、１２２  周波数検出部、１２３  付着判定部、１５４  フロントスピーカ、１６４  下部マイク、３５１  詰まりチェックアイコン、２５１  フィルタ、２５２，２５３  粒子、３５２，３５３，３５５，３５６  メッセージ、３５４  メニュー画面、４５２  付着チェックアイコン、５９４  圧電素子型スピーカ、５９５  水、５９６  容器。
【図１】
0006518530.tif 000004
【図２】
0006518530.tif 000005
【図３】
0006518530.tif 000006
【図４】
0006518530.tif 000007
【図５】
0006518530.tif 000008
【図６】
0006518530.tif 000009
【図７】
0006518530.tif 000010
【図８】
0006518530.tif 000011
【図９】
0006518530.tif 000012
【図１０】
0006518530.tif 000013
【図１１】
0006518530.tif 000014
【図１２】
0006518530.tif 000015
【図１３】
0006518530.tif 000016
【図１４】
0006518530.tif 000017
【図１５】
0006518530.tif 000018
【図１６】
0006518530.tif 000019
【図１７】
0006518530.tif 000020
【図１８】
0006518530.tif 000021
【図１９】
0006518530.tif 000022
【図２０】
0006518530.tif 000023
【図２１】
0006518530.tif 000024
【図２２】
0006518530.tif 000025
【図２３】
0006518530.tif 000026
【図２４】
0006518530.tif 000027
【図２５】
0006518530.tif 000028
【図２６】
0006518530.tif 000029
【図２７】
0006518530.tif 000030
【図２８】
0006518530.tif 000031
【図２９】
0006518530.tif 000032
【図３０】
0006518530.tif 000033
【図３１】
0006518530.tif 000034
【図３２】
0006518530.tif 000035